【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
発散光を発射するように動作可能な光源と、
前記光の少なくとも一部分を受け取るように配置され、前記受け取った光を実質的に平行にするように構成された曲面鏡と、
前記光源と前記曲面鏡のうちの少なくとも一方に結合されたアクチュエータであって、前記実質的に平行な光を走査して画像を形成するために、前記光源と前記曲面鏡を相対的に移動させるように動作可能なアクチュエータと
を含むことを特徴とする走査光ディスプレイシステム。
【請求項２】
光を発射するように動作可能な光源と、
前記光の少なくとも一部分を受け取るように配置された曲面鏡と、
前記曲面鏡から反射された光を受け取るために前記曲面鏡の前に配置された光学要素であって、前記受け取った光を実質的に平行にするように構成された光学要素と、
前記曲面鏡、前記光学要素および前記光源のうちの少なくとも１つに結合されたアクチュエータであって、前記実質的に平行な光を走査して画像を形成するために、前記曲面鏡、前記光学要素および前記光源のうちの少なくとも１つを移動させるように動作可能なアクチュエータと
を含むことを特徴とする走査光ディスプレイシステム。
【請求項３】
一対のレンズ取付けフレームと、それぞれのレンズ取付けフレームの内縁を互いに結合するブリッジと、それぞれの前記レンズ取付けフレームの外縁に結合され、前記それぞれのレンズ取付けフレームの前記外縁から後方へ延びるそれぞれのつるとを有する眼鏡フレームと、
光を発射するように動作可能な光源と、
前記光の少なくとも一部分を受け取るように配置され、前記受け取った光を実質的に平行にするように構成された曲面鏡であって、少なくとも一方の前記レンズ取付けフレームと視覚的に整列して前記眼鏡フレームに結合された曲面鏡と、
前記眼鏡フレームに結合され、前記光源と前記曲面鏡のうちの少なくとも一方に結合されたアクチュエータであって、前記実質的に平行な光を見る人の眼の網膜上へ走査して画像を形成するために、前記光源と前記曲面鏡とを相対的に移動させるように動作可能なアクチュエータと、
前記発光体および前記アクチュエータに結合された制御システムであって、前記光源および前記曲面鏡を相対的に移動させるための信号を前記アクチュエータに結合するように動作可能な制御システムと
を含むことを特徴とする眼鏡取付け式走査光ディスプレイシステム。
【請求項４】
見る人の眼の網膜上に光を走査することによって画像を形成する方法であって、
光源から光を発射すること、
前記光を曲面反射面から反射させること、
前記反射光を実質的に平行にすること、および
前記画像を形成するために、前記実質的に平行な光を前記見る人の眼の前記網膜上に走査すること
を含むことを特徴とする方法。
【請求項５】
曲面鏡構造を形成する方法であって、
相互接続された複数の走査フレームを提供すること、
少なくともいくつかの前記走査フレームに曲面鏡を接合すること、および
前記曲面鏡が接合した前記走査フレームを単片化すること
を含むことを特徴とする方法。
【手続補正２】
【補正対象書類名】明細書
【補正対象項目名】００８１
【補正方法】変更
【補正の内容】
【００８１】
開示した実施形態に関して本発明を説明してきたが、本発明の趣旨および範囲から逸脱することなく形態および詳細の変更を実施することができることを当業者は認識しよう。例えば、さまざまな実施形態の走査を「垂直」および「水平」方向に関して説明したが、これらの代わりに、他の直交および非直交軸に沿った走査を使用することができることを理解されたい。さらに、走査ビームディスプレイを網膜スキャナとして使用するためのものとして説明したが、走査ビームディスプレイを使用して、ディスプレイスクリーンなどの他のタイプの画像面上に画像を形成することもできる。このような変更は当業者の技能の範囲に含まれる。したがって本発明は添付の請求項による以外は限定されない。
本明細書は以下の実施態様を開示する。ここで原請求項１，４３，８８，１２１，１４６とは、平成１９年１月９日付の提出に係る請求の範囲の翻訳文における請求項１，４３，８８，１２１，１４６をいう。
［原請求項２］
前記光源から発射された前記光の全般的な方向と前記曲面鏡の主軸とは一直線上にないことを特徴とする原請求項１に記載の走査光ディスプレイシステム。
［原請求項３］
前記光源は前記曲面鏡の前に配置されていることを特徴とする原請求項１に記載の走査光ディスプレイシステム。
［原請求項４］
前記アクチュエータは、前記実質的に平行な光を１つの次元内で走査して前記画像を形成するために、前記光源および前記曲面鏡を相対的に移動させるように動作可能であることを特徴とする原請求項１に記載の走査光ディスプレイシステム。
［原請求項５］
前記アクチュエータは、前記実質的に平行な光を２つの次元内で走査して前記画像を形成するために、前記光源および前記曲面鏡を相対的に移動させるように動作可能であることを特徴とする原請求項１に記載の走査光ディスプレイシステム。
［原請求項６］
前記アクチュエータは、少なくとも１つの軸の周りで前記曲面鏡を回転させるように動作可能であることを特徴とする原請求項１に記載の走査光ディスプレイシステム。
［原請求項７］
前記アクチュエータは、前記光源と前記曲面鏡のうちの少なくとも一方を、水平方向と垂直方向のうちの少なくとも一方の方向に移動させるように動作可能であることを特徴とする原請求項１に記載の走査光ディスプレイシステム。
［原請求項８］
前記光源は、前記曲面鏡の前に配置された発光体の少なくとも１つのアレイを含み、前記少なくとも１つのアレイは第１の方向に延びる長軸を有することを特徴とする原請求項１に記載の走査光ディスプレイシステム。
［原請求項９］
前記少なくとも１つのアレイは静止して動かず、前記アクチュエータは、前記第１の方向に実質的に平行な軸の周りで前記曲面鏡を回転させるように動作可能であることを特徴とする原請求項８に記載の走査光ディスプレイシステム。
［原請求項１０］
前記少なくとも１つのアレイは静止して動かず、前記アクチュエータは、前記第１の方向に実質的に垂直な方向に前記曲面鏡を移動させるように動作可能であることを特徴とする原請求項８に記載の走査光ディスプレイシステム。
［原請求項１１］
前記曲面鏡は静止して動かず、前記アクチュエータは、前記第１の方向に実質的に垂直な方向に前記少なくとも１つのアレイを移動させるように動作可能であることを特徴とする原請求項８に記載の走査光ディスプレイシステム。
［原請求項１２］
前記曲面鏡は静止して動かず、前記アクチュエータは、前記第１の方向に実質的に平行な方向に前記少なくとも１つのアレイを移動させるように動作可能であることを特徴とする原請求項８に記載の走査光ディスプレイシステム。
［原請求項１３］
前記少なくとも１つのアレイは静止して動かず、前記アクチュエータは、前記第１の方向に実質的に平行な方向に前記曲面鏡を移動させるように動作可能であることを特徴とする原請求項８に記載の走査光ディスプレイシステム。
［原請求項１４］
前記少なくとも１つのアレイは静止して動かず、前記アクチュエータは、前記第１の方向に実質的に垂直な軸の周りで前記曲面鏡を回転させるように動作可能であることを特徴とする原請求項８に記載の走査光ディスプレイシステム。
［原請求項１５］
前記アクチュエータは、発光体の前記少なくとも１つのアレイを移動させるように動作可能であり、前記移動は、前記アクチュエータが前記発光体を移動させるときに前記発光体と前記曲面鏡の間の距離が実質的に一定に維持される態様で実施されることを特徴とする原請求項１１に記載の走査光ディスプレイシステム。
［原請求項１６］
前記アクチュエータは、発光体の前記少なくとも１つのアレイを移動させるように動作可能であり、前記移動は、前記アクチュエータが前記発光体を移動させるときに前記発光体と前記曲面鏡の間の距離が実質的に一定に維持される態様で実施されることを特徴とする原請求項１２に記載の走査光ディスプレイシステム。
［原請求項１７］
前記発光体および前記アクチュエータに結合された制御システムをさらに含み、前記制御システムは、前記第１の方向に順番に走査させるための信号を前記少なくとも１つのアレイ内の前記発光体に結合し、発光体の前記少なくとも１つのアレイおよび前記曲面鏡を相対的に移動させるための信号を前記アクチュエータに結合するように動作可能であることを特徴とする原請求項８に記載の走査光ディスプレイシステム。
［原請求項１８］
前記制御システムは、発光体の前記少なくとも１つのアレイが前記第１の方向に実質的に垂直な第２の方向に移動するときに、発光体の前記少なくとも１つのアレイのそれぞれの位置でそれぞれの前記発光体を順番に作動させるための信号を、前記発光体に結合するように動作可能であることを特徴とする原請求項１７に記載の走査光ディスプレイシステム。
［原請求項１９］
前記発光体および前記アクチュエータに結合された制御システムをさらに含み、前記制御システムは、それぞれの前記発光体から実質的に同時に光を発射させるための信号を前記少なくとも１つのアレイ内の前記発光体に結合し、発光体の前記少なくとも１つのアレイおよび前記曲面鏡を相対的に移動させるための信号を前記アクチュエータに結合するように動作可能であることを特徴とする原請求項８に記載の走査光ディスプレイシステム。
［原請求項２０］
前記曲面鏡および発光体の前記少なくとも１つのアレイは見る人の眼の前に配置され、システムはさらに、
前記見る人の眼の位置を感知するように動作可能なセンサと、
制御システムに結合された画像修正システムであって、前記見る人の眼の位置が変化したときに、走査光ディスプレイシステムによって表示される画像の位置を見ることができるように、前記発光体の走査および発光体の前記少なくとも１つのアレイの位置を、前記制御システムに変更させる画像修正システムと
を含むことを特徴とする原請求項８に記載の走査光ディスプレイシステム。
［原請求項２１］
前記曲面鏡および発光体の前記少なくとも１つのアレイは見る人の眼の前に配置され、システムはさらに、
前記見る人の眼の位置を感知するように動作可能なセンサと、
前記センサに結合された鏡アクチュエータであって、前記見る人の眼の位置が変化したときに、走査光ディスプレイシステムによって表示される画像の射出瞳を見ることができるように、前記曲面鏡の位置を変更するように動作可能な鏡アクチュエータと
を含むことを特徴とする原請求項８に記載の走査光ディスプレイシステム。
［原請求項２２］
発光体の前記少なくとも１つのアレイは、前記曲面鏡の前記第１の方向の湾曲に対応した湾曲で前記第１の方向に延びることを特徴とする原請求項８に記載の走査光ディスプレイシステム。
［原請求項２３］
前記曲面鏡は焦点面を有し、発光体の前記少なくとも１つのアレイは実質的に前記焦点面に配置されていることを特徴とする原請求項２２に記載の走査光ディスプレイシステム。
［原請求項２４］
前記曲面鏡は球面鏡であり、前記焦点面は焦点球面であることを特徴とする原請求項２３に記載の走査光ディスプレイシステム。
［原請求項２５］
前記光源は複数の発光体を含み、前記発光体の数は前記画像の１本の画素行の画素数よりも少ないことを特徴とする原請求項１に記載の走査光ディスプレイシステム。
［原請求項２６］
前記曲面鏡および発光体の前記少なくとも１つのアレイは見る人の眼の前に配置され、走査光ディスプレイシステムはさらに、発光体の前記少なくとも１つのアレイと前記見る人の眼の間に配置された光フィルタを含み、前記光フィルタは、前記曲面鏡から前記見る人の眼に向かって反射された外来光を実質的に減衰させるように動作可能であることを特徴とする原請求項８に記載の走査光ディスプレイシステム。
［原請求項２７］
前記曲面鏡は静止曲面鏡を含むことを特徴とする原請求項１に記載の走査光ディスプレイシステム。
［原請求項２８］
前記曲面鏡は少なくとも部分的に透明な鏡を含むことを特徴とする原請求項１に記載の走査光ディスプレイシステム。
［原請求項２９］
前記光源は光源のアレイを含み、前記曲面鏡は、前記アレイ内の前記光源によって発射された光の少なくとも１つの波長の範囲内の光を優先的に反射する狭帯域鏡を含むことを特徴とする原請求項１に記載の走査光ディスプレイシステム。
［原請求項３０］
前記曲面鏡は球面鏡を含むことを特徴とする原請求項１に記載の走査光ディスプレイシステム。
［原請求項３１］
前記曲面鏡はフレネルの鏡を含むことを特徴とする原請求項１に記載の走査光ディスプレイシステム。
［原請求項３２］
前記曲面鏡は回折鏡を含むことを特徴とする原請求項１に記載の走査光ディスプレイシステム。
［原請求項３３］
前記発光体は、
複数の光源と、
それぞれの前記光源から前記少なくとも１つのアレイ内のそれぞれの位置までそれぞれ延びる複数のライトパイプと
を含むことを特徴とする原請求項８に記載の走査光ディスプレイシステム。
［原請求項３４］
発光体の前記少なくとも１つのアレイは発光体の実質的に直線状のアレイを含むことを特徴とする原請求項８に記載の走査光ディスプレイシステム。
［原請求項３５］
前記曲面鏡および前記発光体は、前記見る人の眼の前の、見る人の眼が焦点を合わせることができる距離よりも近い距離のところに配置されていることを特徴とする原請求項１に記載の走査光ディスプレイシステム。
［原請求項３６］
前記光源から発射された光を前記曲面鏡へ向けて上方へ向け直す位置および向きに配置された部分的に透明な鏡をさらに含むことを特徴とする原請求項１に記載の走査光ディスプレイシステム。
［原請求項３７］
前記光源から発射された光を受け取り、前記光を前記曲面鏡へ向け直すように配置された鏡をさらに含むことを特徴とする原請求項１に記載の走査光ディスプレイシステム。
［原請求項３８］
前記光の光路は折り返されていることを特徴とする原請求項３７に記載の走査光ディスプレイシステム。
［原請求項３９］
前記曲面鏡からの走査光を受け取り、前記走査光を向け直してビューイングアパーチャを通過させるように配置された反射面をさらに含むことを特徴とする原請求項１に記載の走査光ディスプレイシステム。
［原請求項４０］
前記曲面鏡は楕円の第１の焦点に位置し、前記反射面から走査光を受け取るために、見る人の眼の瞳孔は前記楕円の第２の焦点に置くことができることを特徴とする原請求項３９に記載の走査光ディスプレイシステム。
［原請求項４１］
前記アクチュエータは磁気アクチュエータを含み、前記磁気アクチュエータは複数の電磁石を含み、前記曲面鏡は複数の永久磁石に結合されており、前記永久磁石はそれぞれ、前記複数の電磁石のうちの対応する１つの電磁石に関連付けられており、前記曲面鏡は、前記複数の電磁石によって生成された磁界に応答して少なくとも１つの軸の周りを回転するように動作可能であることを特徴とする原請求項１に記載の走査光ディスプレイシステム。
［原請求項４２］
それぞれの前記電磁石と前記永久磁石のうちの対応する１つの永久磁石との間に配置されたバイアス磁石をさらに含み、前記バイアス磁石の極と前記対応する永久磁石の極は反対向きであることを特徴とする原請求項４１に記載の走査光ディスプレイシステム。
［原請求項４４］
前記光源は、前記曲面鏡と前記曲面鏡の焦点面との間に配置されていることを特徴とする原請求項４３に記載の走査光ディスプレイシステム。
［原請求項４５］
前記アクチュエータは、前記実質的に平行な光を１つの次元内で走査して前記画像を形成するために、前記曲面鏡、前記光学要素および前記光源のうちの少なくとも１つを移動させるように動作可能であることを特徴とする原請求項４３に記載の走査光ディスプレイシステム。
［原請求項４６］
前記アクチュエータは、前記実質的に平行な光を２つの次元内で走査して前記画像を形成するために、前記曲面鏡、前記光学要素および前記光源のうちの少なくとも１つを移動させるように動作可能であることを特徴とする原請求項４３に記載の走査光ディスプレイシステム。
［原請求項４７］
前記アクチュエータは、前記曲面鏡と前記光学要素のうちの少なくとも一方を少なくとも１つの軸の周りを回転させるように動作可能であることを特徴とする原請求項４３に記載の走査光ディスプレイシステム。
［原請求項４８］
前記アクチュエータは、前記曲面鏡、前記光学要素および光源のうちの少なくとも１つを、水平方向と垂直方向のうちの少なくとも一方の方向に移動させるように動作可能であることを特徴とする原請求項４３に記載の走査光ディスプレイシステム。
［原請求項４９］
前記光源は、前記曲面鏡の前に配置された発光体の少なくとも１つのアレイを含み、前記少なくとも１つのアレイは第１の方向に延びる長軸を有することを特徴とする原請求項４３に記載の走査光ディスプレイシステム。
［原請求項５０］
前記少なくとも１つのアレイおよび前記光学要素は静止して動かず、前記アクチュエータは、前記第１の方向に実質的に平行な軸の周りで前記曲面鏡を回転させるように動作可能であることを特徴とする原請求項４９に記載の走査光ディスプレイシステム。
［原請求項５１］
前記少なくとも１つのアレイおよび前記光学要素は静止して動かず、前記アクチュエータは、前記第１の方向に実質的に垂直な方向に前記曲面鏡を移動させるように動作可能であることを特徴とする原請求項４９に記載の走査光ディスプレイシステム。
［原請求項５２］
前記曲面鏡および前記光学要素は静止して動かず、前記アクチュエータは、前記第１の方向に実質的に垂直な方向に前記少なくとも１つのアレイを移動させるように動作可能であることを特徴とする原請求項４９に記載の走査光ディスプレイシステム。
［原請求項５３］
前記曲面鏡および前記光学要素は静止して動かず、前記アクチュエータは、前記第１の方向に実質的に平行な方向に前記少なくとも１つのアレイを移動させるように動作可能であることを特徴とする原請求項４９に記載の走査光ディスプレイシステム。
［原請求項５４］
前記少なくとも１つのアレイおよび前記光学要素は静止して動かず、前記アクチュエータは、前記第１の方向に実質的に平行な方向に前記曲面鏡を移動させるように動作可能であることを特徴とする原請求項４９に記載の走査光ディスプレイシステム。
［原請求項５５］
前記少なくとも１つのアレイおよび前記光学要素は静止して動かず、前記アクチュエータは、前記第１の方向に実質的に垂直な軸の周りで前記曲面鏡を回転させるように動作可能であることを特徴とする原請求項４９に記載の走査光ディスプレイシステム。
［原請求項５６］
前記アクチュエータは発光体の前記少なくとも１つのアレイを移動させ、前記移動は、前記アクチュエータが前記発光体を移動させるときに前記発光体と前記曲面鏡の間の距離が実質的に一定に維持される態様で実施されることを特徴とする原請求項５２に記載の走査光ディスプレイシステム。
［原請求項５７］
前記アクチュエータは発光体の前記少なくとも１つのアレイを移動させ、前記移動は、前記アクチュエータが前記発光体を移動させるときに前記発光体と前記曲面鏡の間の距離が実質的に一定に維持される態様で実施されることを特徴とする原請求項５３に記載の走査光ディスプレイシステム。
［原請求項５８］
前記少なくとも１つのアレイおよび前記曲面鏡は静止して動かず、前記アクチュエータは、前記第１の方向に実質的に垂直な方向に前記光学要素を移動させるように動作可能であることを特徴とする原請求項４９に記載の走査光ディスプレイシステム。
［原請求項５９］
前記少なくとも１つのアレイおよび前記曲面鏡は静止して動かず、前記アクチュエータは、前記第１の方向に実質的に平行な軸の周りで前記光学要素を回転させるように動作可能であることを特徴とする原請求項４９に記載の走査光ディスプレイシステム。
［原請求項６０］
前記少なくとも１つのアレイおよび前記曲面鏡は静止して動かず、前記アクチュエータは、前記第１の方向に実質的に平行な方向に前記光学要素を移動させるように動作可能であることを特徴とする原請求項４９に記載の走査光ディスプレイシステム。
［原請求項６１］
前記少なくとも１つのアレイおよび前記曲面鏡は静止して動かず、前記アクチュエータは、前記第１の方向に実質的に垂直な軸の周りで前記光学要素を回転させるように動作可能であることを特徴とする原請求項４９に記載の走査光ディスプレイシステム。
［原請求項６２］
前記発光体および前記アクチュエータに結合された制御システムをさらに含み、前記制御システムは、前記第１の方向に順番に走査させるための信号を前記少なくとも１つのアレイ内の前記発光体に結合し、前記曲面鏡、前記光学要素および前記光源のうちの少なくとも１つを移動させるための信号を前記アクチュエータに結合するように動作可能であることを特徴とする原請求項４９に記載の走査光ディスプレイシステム。
［原請求項６３］
前記制御システムは、発光体の前記少なくとも１つのアレイが前記第１の方向に実質的に垂直な第２の方向に移動するときに、発光体の前記少なくとも１つのアレイのそれぞれの位置でそれぞれの前記発光体を順番に作動させるための信号を、前記発光体に結合するように動作可能であることを特徴とする原請求項６２に記載の走査光ディスプレイシステム。
［原請求項６４］
前記発光体および前記アクチュエータに結合された制御システムをさらに含み、前記制御システムは、それぞれの前記発光体から実質的に同時に光を発射させるための信号を前記少なくとも１つのアレイ内の前記発光体に結合し、前記曲面鏡、前記光学要素および前記光源のうちの少なくとも１つを移動させるための信号を前記アクチュエータに結合するように動作可能であることを特徴とする原請求項４９に記載の走査光ディスプレイシステム。
［原請求項６５］
前記曲面鏡および発光体の前記少なくとも１つのアレイは見る人の眼の前に配置され、システムはさらに、
前記見る人の眼の位置を感知するように動作可能なセンサと、
制御システムに結合された画像修正システムであって、前記見る人の眼の位置が変化したときに、走査光ディスプレイシステムによって表示される画像の位置を見ることができるように、前記発光体の走査および発光体の前記少なくとも１つのアレイの位置を、前記制御システムに変更させる画像修正システムと
を含むことを特徴とする原請求項４９に記載の走査光ディスプレイシステム。
［原請求項６６］
前記曲面鏡および発光体の前記少なくとも１つのアレイは見る人の眼の前に配置され、システムはさらに、
前記見る人の眼の位置を感知するように動作可能なセンサと、
前記センサに結合された鏡アクチュエータであって、前記見る人の眼の位置が変化したときに、走査光ディスプレイシステムによって表示される画像の射出瞳を見ることができるように、前記曲面鏡の位置を変更するように動作可能な鏡アクチュエータと
を含むことを特徴とする原請求項４９に記載の走査光ディスプレイシステム。
［原請求項６７］
発光体の前記少なくとも１つのアレイは、前記曲面鏡の前記第１の方向の湾曲に対応した湾曲で前記第１の方向に延びることを特徴とする原請求項４９に記載の走査光ディスプレイシステム。
［原請求項６８］
前記曲面鏡は焦点面を有し、発光体の前記少なくとも１つのアレイは実質的に前記焦点面に配置されていることを特徴とする原請求項６７に記載の走査光ディスプレイシステム。
［原請求項６９］
前記曲面鏡は球面鏡であり、前記焦点面は焦点球面であることを特徴とする原請求項６８に記載の走査光ディスプレイシステム。
［原請求項７０］
前記曲面鏡、前記光源および前記光学要素は見る人の眼の前に配置され、走査光ディスプレイシステムはさらに、前記光源と前記見る人の眼の間に配置された光フィルタを含み、前記光フィルタは、前記曲面鏡から前記見る人の眼に向かって反射された外来光を実質的に減衰させるように動作可能であることを特徴とする原請求項４３に記載の走査光ディスプレイシステム。
［原請求項７１］
前記曲面鏡は静止曲面鏡を含むことを特徴とする原請求項４３に記載の走査光ディスプレイシステム。
［原請求項７２］
前記曲面鏡は少なくとも部分的に透明な鏡を含むことを特徴とする原請求項４３に記載の走査光ディスプレイシステム。
［原請求項７３］
前記曲面鏡は、前記少なくとも１つのアレイ内の前記光源によって発射された光の波長の範囲内の光を優先的に反射する狭帯域鏡を含むことを特徴とする原請求項４３に記載の走査光ディスプレイシステム。
［原請求項７４］
前記曲面鏡は球面鏡を含むことを特徴とする原請求項４３に記載の走査光ディスプレイシステム。
［原請求項７５］
前記曲面鏡はフレネルの鏡を含むことを特徴とする原請求項４３に記載の走査光ディスプレイシステム。
［原請求項７６］
前記曲面鏡は回折鏡を含むことを特徴とする原請求項４３に記載の走査光ディスプレイシステム。
［原請求項７７］
前記発光体は、
複数の光源と、
それぞれの前記光源から前記少なくとも１つのアレイ内のそれぞれの位置までそれぞれ延びる複数のライトパイプと
を含むことを特徴とする原請求項４９に記載の走査光ディスプレイシステム。
［原請求項７８］
発光体の前記少なくとも１つのアレイは発光体の実質的に直線状のアレイを含むことを特徴とする原請求項４９に記載の走査光ディスプレイシステム。
［原請求項７９］
前記曲面鏡および前記発光体は、前記見る人の眼の前の、見る人の眼が焦点を合わせることができる距離よりも近い距離のところに配置されていることを特徴とする原請求項４３に記載の走査光ディスプレイシステム。
［原請求項８０］
前記光源は複数の発光体を含み、前記発光体の数は前記画像の１本の画素行の画素数よりも少ないことを特徴とする原請求項４３に記載の走査光ディスプレイシステム。
［原請求項８１］
前記光学要素は固定光出力を有することを特徴とする原請求項４３に記載の走査光ディスプレイシステム。
［原請求項８２］
前記光学要素は可変光出力を提供するように動作可能であることを特徴とする原請求項４３に記載の走査光ディスプレイシステム。
［原請求項８３］
前記可変光出力光学要素は複数の固定光出力光学要素を含み、前記可変出力光学要素は、前記複数の固定光出力光学要素のうちの１つの要素を前記受け取った光に対して機能するように配置するよう動作可能であることを特徴とする原請求項８２に記載の走査光ディスプレイシステム。
［原請求項８４］
前記可変光出力要素の光学特性は手動で調整可能であることを特徴とする原請求項８２に記載の走査光ディスプレイシステム。
［原請求項８５］
前記可変光出力要素の光学特性は、電力作動によって選択されることを特徴とする原請求項８２に記載の走査光ディスプレイシステム。
［原請求項８６］
前記可変光出力要素の光学特性は自動的に選択されることを特徴とする原請求項８２に記載の走査光ディスプレイシステム。
［原請求項８７］
前記光学要素は少なくとも１つのレンズを含むことを特徴とする原請求項４３に記載の走査光ディスプレイシステム。
［原請求項８９］
前記アクチュエータは前記眼鏡フレームの前記ブリッジに接続されていることを特徴とする原請求項８８に記載の走査光ディスプレイシステム。
［原請求項９０］
前記曲面鏡は鏡支持体に結合されており、前記鏡支持体は前記眼鏡フレームの前記ブリッジに接続されていることを特徴とする原請求項８８に記載の走査光ディスプレイシステム。
［原請求項９１］
前記アクチュエータは、前記眼鏡フレームの少なくとも一方の前記つるの中に取り付けられていることを特徴とする原請求項８８に記載の走査光ディスプレイシステム。
［原請求項９２］
前記アクチュエータは、前記アクチュエータから互いに反対の双方向に延びる細長い光源支持体によって前記光源に結合されており、走査光ディスプレイシステムはさらに、前記光源が結合した前記光源支持体の位置とは反対側のある位置で前記光源支持体に取り付けられた釣合い重りを含むことを特徴とする原請求項８８に記載の走査光ディスプレイシステム。
［原請求項９３］
前記光源は、前記眼鏡フレームの少なくとも一方の前記つるに接続された細長い光源支持体によって担持されていることを特徴とする原請求項８８に記載の走査光ディスプレイシステム。
［原請求項９４］
前記レンズ取付けフレームはそれぞれのレンズ取付け面を画定し、前記曲面鏡および前記光源は、前記曲面鏡と視覚的に整列した前記レンズ取付けフレームの前記レンズ取付け面の後ろに配置されていることを特徴とする原請求項８８に記載の走査光ディスプレイシステム。
［原請求項９５］
前記光源は、長軸を有する発光体の少なくとも１つのアレイを含み、前記制御システムは、発光体の前記少なくとも１つのアレイが前記第１の方向に実質的に垂直な第２の方向に移動するときに、発光体の前記少なくとも１つのアレイのそれぞれの位置でそれぞれの前記発光体を順番に作動させるための信号を、前記発光体に結合するように動作可能であることを特徴とする原請求項８８に記載の走査光ディスプレイシステム。
［原請求項９６］
前記光源は、長軸を有する発光体の少なくとも１つのアレイを含み、前記制御システムは、それぞれの前記発光体から実質的に同時に光を発射させるための信号を前記発光体に結合するように動作可能であることを特徴とする原請求項８８に記載の走査光ディスプレイシステム。
［原請求項９７］
前記光源は、長軸を有する発光体の少なくとも１つのアレイを含み、システムはさらに、
前記眼鏡フレームに取り付けられたセンサであって、前記眼鏡フレームを装着している前記見る人の眼の位置を感知するように動作可能なセンサと、
制御システムに結合された画像修正システムであって、前記見る人の眼の位置が変化したときに、走査光ディスプレイシステムによって表示される画像の位置を見ることができるように、前記発光体の前記第１の方向の走査および前記第１の方向に実質的に垂直な第２の方向の発光体の前記少なくとも１つのアレイの位置を、前記制御システムに変更させる画像修正システムと
を含むことを特徴とする原請求項８８に記載の走査光ディスプレイシステム。
［原請求項９８］
前記眼鏡フレームに取り付けられたセンサであって、前記眼鏡フレームを装着している前記見る人の眼の位置を感知するように動作可能なセンサと、
前記センサに結合された鏡アクチュエータであって、前記見る人の眼の位置が変化したときに、走査光ディスプレイシステムによって表示される画像の位置を見ることができるように、前記曲面鏡の位置を変更するように動作可能な鏡アクチュエータと
をさらに含むことを特徴とする原請求項８８に記載の走査光ディスプレイシステム。
［原請求項９９］
前記光源は、長軸を有する発光体の少なくとも１つのアレイを含み、発光体の前記少なくとも１つのアレイは、実質的に前記曲面鏡と視覚的に整列して配置されており、発光体の前記少なくとも１つのアレイは、前記曲面鏡の前記第１の方向の湾曲に対応した湾曲で前記第１の方向に延びていることを特徴とする原請求項８８に記載の走査光ディスプレイシステム。
［原請求項１００］
前記アクチュエータは、前記実質的に平行な光を１つの次元内で走査して前記画像を形成するために、前記光源および前記曲面鏡を相対的に移動させるように動作可能であることを特徴とする原請求項８８に記載の走査光ディスプレイシステム。
［原請求項１０１］
前記アクチュエータは、前記実質的に平行な光を２つの次元内で走査して前記画像を形成するために、前記光源および前記曲面鏡を相対的に移動させるように動作可能であることを特徴とする原請求項８８に記載の走査光ディスプレイシステム。
［原請求項１０２］
前記光源は、長軸を有する発光体の少なくとも１つのアレイを含むことを特徴とする原請求項８８に記載の走査光ディスプレイシステム。
［原請求項１０３］
前記少なくとも１つのアレイは静止して動かず、前記アクチュエータは、前記第１の方向に実質的に平行な軸の周りで前記曲面鏡を回転させるように動作可能であることを特徴とする原請求項１０２に記載の走査光ディスプレイシステム。
［原請求項１０４］
前記少なくとも１つのアレイは静止して動かず、前記アクチュエータは、前記第１の方向に実質的に垂直な方向に前記曲面鏡を移動させるように動作可能であることを特徴とする原請求項１０２に記載の走査光ディスプレイシステム。
［原請求項１０５］
前記曲面鏡は静止して動かず、前記アクチュエータは、前記第１の方向に実質的に垂直な方向に前記少なくとも１つのアレイを移動させるように動作可能であることを特徴とする原請求項１０２に記載の走査光ディスプレイシステム。
［原請求項１０６］
前記曲面鏡は静止して動かず、前記アクチュエータは、前記第１の方向に実質的に平行な方向に前記少なくとも１つのアレイを移動させるように動作可能であることを特徴とする原請求項１０２に記載の走査光ディスプレイシステム。
［原請求項１０７］
前記少なくとも１つのアレイは静止して動かず、前記アクチュエータは、前記第１の方向に実質的に平行な方向に前記曲面鏡を移動させるように動作可能であることを特徴とする原請求項１０２に記載の走査光ディスプレイシステム。
［原請求項１０８］
前記少なくとも１つのアレイは静止して動かず、前記アクチュエータは、前記第１の方向に実質的に垂直な軸の周りで前記曲面鏡を回転させるように動作可能であることを特徴とする原請求項１０２に記載の走査光ディスプレイシステム。
［原請求項１０９］
前記アクチュエータは発光体の前記少なくとも１つのアレイを移動させ、前記移動は、前記アクチュエータが前記発光体を移動させるときに前記発光体と前記曲面鏡の間の距離が実質的に一定に維持される態様で実施されることを特徴とする原請求項１０５に記載の走査光ディスプレイシステム。
［原請求項１１０］
前記アクチュエータは発光体の前記少なくとも１つのアレイを移動させ、前記移動は、前記アクチュエータが前記発光体を移動させるときに前記発光体と前記曲面鏡の間の距離が実質的に一定に維持される態様で実施されることを特徴とする原請求項１０６に記載の走査光ディスプレイシステム。
［原請求項１１１］
前記曲面鏡は焦点球面を有し、前記光源は実質的に前記焦点球面のところに配置されていることを特徴とする原請求項８８に記載の走査光ディスプレイシステム。
［原請求項１１２］
前記光源の後ろに配置された光フィルタをさらに含み、前記フィルタは、前記曲面鏡から後方に反射された光を実質的に減衰させるように動作可能であることを特徴とする原請求項８８に記載の走査光ディスプレイシステム。
［原請求項１１３］
前記曲面鏡は静止曲面鏡を含むことを特徴とする原請求項８８に記載の走査光ディスプレイシステム。
［原請求項１１４］
前記曲面鏡は少なくとも部分的に透明な曲面鏡を含み、そのため、前記曲面鏡および前記曲面鏡と視覚的に整列した前記レンズ取付けフレームを通して背景を見ることができることを特徴とする原請求項８８に記載の走査光ディスプレイシステム。
［原請求項１１５］
前記曲面鏡は、前記光源によって発射された光の波長の範囲内の光を優先的に反射する狭帯域鏡を含むことを特徴とする原請求項８８に記載の走査光ディスプレイシステム。
［原請求項１１６］
前記曲面鏡は球面鏡を含むことを特徴とする原請求項８８に記載の走査光ディスプレイシステム。
［原請求項１１７］
前記曲面鏡はフレネルの鏡を含むことを特徴とする原請求項８８に記載の走査光ディスプレイシステム。
［原請求項１１８］
前記曲面鏡は回折鏡を含むことを特徴とする原請求項８８に記載の走査光ディスプレイシステム。
［原請求項１１９］
発光体の前記少なくとも１つのアレイは発光体の実質的に直線状のアレイを含むことを特徴とする原請求項１０２に記載の走査光ディスプレイシステム。
［原請求項１２０］
前記光源は複数の発光体を含み、前記発光体の数は前記画像の１本の画素行の画素数よりも少ないことを特徴とする原請求項８８に記載の走査光ディスプレイシステム。
［原請求項１２２］
前記見る人の眼の位置を感知すること、ならびに
前記見る人の眼の前記位置が変化したときに前記画像の位置を見ることができるように、前記光の強度および前記光が生成される位置を変更すること
をさらに含むことを特徴とする原請求項１２１に記載の方法。
［原請求項１２３］
前記見る人の眼の位置を感知すること、ならびに
前記見る人の眼の前記位置が変化したときに前記画像の位置を見ることができるように、前記曲面反射面の位置を変更すること
をさらに含むことを特徴とする原請求項１２１に記載の方法。
［原請求項１２４］
前記曲面反射面から前記見る人の眼に向かって反射された外来光を実質的に減衰させることをさらに含むことを特徴とする原請求項１２１に記載の方法。
［原請求項１２５］
前記光源は複数の発光体を含み、前記複数の発光体は、前記曲面反射面の湾曲に対応する曲線を画定することを特徴とする原請求項１２１に記載の方法。
［原請求項１２６］
前記光を曲面反射面から反射させる前記行為は、前記光を球面反射面から反射させることを含むことを特徴とする原請求項１２１に記載の方法。
［原請求項１２７］
前記曲面反射面は、実質的に静止して動かない反射面を含むことを特徴とする原請求項１２１に記載の方法。
［原請求項１２８］
前記曲面反射面は焦点面を有し、前記光は、実質的に前記焦点面上にある、ある位置から発射されることを特徴とする原請求項１２１に記載の方法。
［原請求項１２９］
前記曲面反射面は、前記光源から発射された光の波長の範囲内の光を優先的に反射する狭帯域反射面を含むことを特徴とする原請求項１２１に記載の方法。
［原請求項１３０］
前記曲面反射面は球面反射面を含むことを特徴とする原請求項１２１に記載の方法。
［原請求項１３１］
前記曲面反射面はフレネルの反射面を含むことを特徴とする原請求項１２１に記載の方法。
［原請求項１３２］
前記曲面反射面は回折反射面を含むことを特徴とする原請求項１２１に記載の方法。
［原請求項１３３］
前記画像を形成するために、前記実質的に平行な光を前記見る人の眼の前記網膜上に走査する前記行為は、前記実質的に平行な光を１つの次元内で走査することを含むことを特徴とする原請求項１２１に記載の方法。
［原請求項１３４］
前記画像を形成するために、前記実質的に平行な光を前記見る人の眼の前記網膜上に走査する前記行為は、前記実質的に平行な光を２つの次元内で走査することを含むことを特徴とする原請求項１２１に記載の方法。
［原請求項１３５］
前記画像を形成するために、前記実質的に平行な光を前記見る人の眼の前記網膜上に走査する前記行為は、前記光源および前記曲面反射面を相対的に移動させることを含むことを特徴とする原請求項１２１に記載の方法。
［原請求項１３６］
光源から光を発射する前記行為は、概ね第１の方向に延びる複数の位置から光を発射することを含み、前記画像を形成するために、前記実質的に平行な光を前記見る人の眼の前記網膜上に走査する前記行為は、前記第１の方向に実質的に平行な軸の周りで前記曲面反射面を回転させることを含むことを特徴とする原請求項１２１に記載の方法。
［原請求項１３７］
光源から光を発射する前記行為は、概ね第１の方向に延びる複数の位置から光を発射することを含み、前記画像を形成するために、前記実質的に平行な光を前記見る人の眼の前記網膜上に走査する前記行為は、前記第１の方向に実質的に垂直な方向に前記曲面反射面を移動させることを含むことを特徴とする原請求項１２１に記載の方法。
［原請求項１３８］
光源から光を発射する前記行為は、概ね第１の方向に延びる複数の位置から光を発射することを含み、前記画像を形成するために、前記実質的に平行な光を前記見る人の眼の前記網膜上に走査する前記行為は、前記第１の方向に実質的に垂直な方向に前記光源を移動させることを含むことを特徴とする原請求項１２１に記載の方法。
［原請求項１３９］
光源から光を発射する前記行為は、概ね第１の方向に延びる複数の位置から光を発射することを含み、前記画像を形成するために、前記実質的に平行な光を前記見る人の眼の前記網膜上に走査する前記行為は、前記第１の方向に実質的に平行な方向に前記曲面反射面を移動させることを含むことを特徴とする原請求項１２１に記載の方法。
［原請求項１４０］
光源から光を発射する前記行為は、概ね第１の方向に延びる複数の位置から光を発射することを含み、前記画像を形成するために、前記実質的に平行な光を前記見る人の眼の前記網膜上に走査する前記行為は、前記第１の方向に実質的に平行な方向に前記光源を移動させることを含むことを特徴とする原請求項１２１に記載の方法。
［原請求項１４１］
前記光源から発射された前記光を前記曲面反射面へ反射させることをさらに含むことを特徴とする原請求項１２１に記載の方法。
［原請求項１４２］
前記光源から発射された前記光を前記曲面反射面へ反射させる前記行為は、前記光源から発射された前記光を部分的に透明な反射面から反射させることを含むことを特徴とする原請求項１４１に記載の方法。
［原請求項１４３］
前記画像を形成するために、前記実質的に平行な光を前記見る人の眼の前記網膜上に走査する前記行為は、前記実質的に平行な光を前記見る人の眼の網膜上へ反射させることを含むことを特徴とする原請求項１２１に記載の方法。
［原請求項１４４］
前記反射光を実質的に平行にする前記行為は、前記反射光をレンズに通すことを含むことを特徴とする原請求項１２１に記載の方法。
［原請求項１４５］
前記反射光を実質的に平行にする前記行為は、前記曲面反射面から反射された場合に実施されることを特徴とする原請求項１２１に記載の方法。
［原請求項１４７］
前記走査フレームはシリコンを含むことを特徴とする原請求項１４６に記載の方法。
［原請求項１４８］
前記曲面鏡はプラスチック鏡を含むことを特徴とする原請求項１４６に記載の方法。
［原請求項１４９］
少なくともいくつかの前記走査フレームに曲面鏡を接合する前記行為は、前記相互接続された複数の走査フレームに選択的に接着剤を塗布することを含むことを特徴とする原請求項１４６に記載の方法。
［原請求項１５０］
前記相互接続された複数の走査フレームに選択的に接着剤を塗布する前記行為は、前記相互接続された複数の走査フレーム上へスクリーン印刷によってエポキシを塗布することを含むことを特徴とする原請求項１４９に記載の方法。